(57)【要約】  多重ディスプレイ方式をサポートする立体動画符号化及び復号化装置並びにその方法、並びに、当該方法を実現させるためのプログラムを記録したコンピュータ読み出し可能な記録媒体が提供される。本発明に係る符号化装置は、入力される左右両眼の映像を左映像奇数フィールドＬＯ、左映像偶数フィールドＬＥ、右映像奇数フィールドＲＯ及び右映像偶数フィールドＲＥに分離するフィールド分離手段と、前記フィールド分離手段において分離されたフィールドを動き及び時差補償のための推定を利用して符号化する符号化手段と、前記ユーザーディスプレイ情報に基づき、前記符号化手段から受信したフィールドのうち必要なフィールドを多重化する多重化手段と、を備えている。
2005513969.tif 000002
【特許請求の範囲】
【請求項１】
ユーザーディスプレイ情報に基づき多重ディスプレイ方式をサポートする立体動画符号化装置において、
入力される左右両眼の映像を左映像奇数フィールドＬＯ、左映像偶数フィールドＬＥ、右映像奇数フィールドＲＯ及び右映像偶数フィールドＲＥに分離するフィールド分離手段と、
前記フィールド分離手段において分離されたフィールドを動き及び時差補償のための推定を利用して符号化する符号化手段と、
前記ユーザーディスプレイ情報に基づき、前記符号化手段から受信したフィールドのうち必要なフィールドを多重化する多重化手段と、
を備えていることを特徴とする多重ディスプレイ方式をサポートする立体動画符号化装置。
【請求項２】
前記符号化手段は、
前記左映像奇数フィールドＬＯと前記右映像偶数フィールドＲＥとを主階層として構成し、前記左映像偶数フィールドＬＥを第１補助階層、前記右映像奇数フィールドＲＯを第２補助階層として構成することを特徴とする請求項１に記載の多重ディスプレイ方式をサポートする立体動画符号化装置。
【請求項３】
前記符号化手段は、
前記左映像奇数フィールドＬＯを前記主階層の基底層として構成し、前記右映像偶数フィールドＲＥを前記主階層の上位層として構成し、動き及び時差補償のための推定を利用して符号化を行うことを特徴とする請求項２に記載の多重ディスプレイ方式をサポートする立体動画符号化装置。
【請求項４】
前記第１補助階層は、
前記基底層の相関情報を基準として動き補償のための推定を行い、前記上位層の相関情報を基準として時差補償のための推定を行うことを特徴とする請求項２に記載の多重ディスプレイ方式をサポートする立体動画符号化装置。
【請求項５】
前記第２補助階層は、
前記基底層の相関情報を基準として時差補償のための推定を行い、前記上位層の相関情報を基準として動き補償のための推定を行うことを特徴とする請求項２に記載の多重ディスプレイ方式をサポートする立体動画符号化装置。
【請求項６】
前記符号化手段は、
前記左映像奇数フィールドＬＯを主階層として構成し、前記右映像偶数フィールドＲＥを第１補助階層、前記左映像偶数フィールドＬＥを第２補助階層、前記右映像奇数フィールドＲＯを第３補助階層として構成することを特徴とする請求項１に記載の多重ディスプレイ方式をサポートする立体動画符号化装置。
【請求項７】
前記主階層は、
前記主階層の相関情報を基準として動き補償のための推定を行うことを特徴とする請求項６に記載の多重ディスプレイ方式をサポートする立体動画符号化装置。
【請求項８】
前記第１補助階層は、
前記第１補助階層の相関情報を基準として動き補償のための推定を行い、前記主階層の相関情報を基準として時差補償のための推定を行うことを特徴とする請求項６に記載の多重ディスプレイ方式をサポートする立体動画符号化装置。
【請求項９】
前記第２補助階層は、
前記主階層及び前記第２補助階層の相関情報を基準として動き補償のための推定を行うことを特徴とする請求項６に記載の多重ディスプレイ方式をサポートする立体動画符号化装置。
【請求項１０】
前記第３補助階層は、
前記第１補助階層の相関情報を基準として動き補償のための推定を行い、前記主階層の相関情報を基準として時差補償のための推定を行うことを特徴とする請求項６に記載の多重ディスプレイ方式をサポートする立体動画符号化装置。
【請求項１１】
前記ユーザーディスプレイ情報は、
３次元フィールドシャッタリングディスプレイ、３次元フレームシャッタリングディスプレイ、２次元ディスプレイを含むことを特徴とする請求項１に記載の多重ディスプレイ方式をサポートする立体動画符号化装置。
【請求項１２】
前記多重化手段は、
前記ユーザーディスプレイ情報が３次元フィールドシャッタリングディスプレイである場合には、前記左映像奇数フィールド（ＬＯ）及び前記右映像偶数フィールド（ＲＥ）を多重化することを特徴とする請求項１に記載の多重ディスプレイ方式をサポートする立体動画符号化装置。
【請求項１３】
前記多重化手段は、
前記ユーザーディスプレイ情報が３次元フレームシャッタリングディスプレイである場合には、前記左映像奇数フィールドＬＯ、前記左映像偶数フィールドＬＥ、前記右映像奇数フィールドＲＯ及び前記右映像偶数フィールドＲＥを多重化することを特徴とする請求項１に記載の多重ディスプレイ方式をサポートする立体動画符号化装置。
【請求項１４】
前記多重化手段は、
前記ユーザーディスプレイ情報が２次元ディスプレイである場合には、前記左映像奇数フィールドＬＯ及び前記左映像偶数フィールドＬＥを多重化することを特徴とする請求項１に記載の多重ディスプレイ方式をサポートする立体動画符号化装置。
【請求項１５】
ユーザーディスプレイ情報に基づき多重ディスプレイ方式をサポートする立体動画復号化装置において、
供給されるビットストリームを前記ユーザーディスプレイ情報に適合するように逆多重化する逆多重化手段と、
前記逆多重化手段において逆多重化されたフィールドを動き及び時差補償のための推定を利用して復号化する復号化手段と、
前記復号化器において復号化された映像を前記ユーザーディスプレイ情報に基づき表示するディスプレイ手段と、
を備えていることを特徴とする多重ディスプレイ方式をサポートする立体動画復号化装置。
【請求項１６】
前記ユーザーディスプレイ情報は、
３次元フィールドシャッタリングディスプレイ、３次元フレームシャッタリングディスプレイ、２次元ディスプレイを含むことを特徴とする請求項１５に記載の多重ディスプレイ方式をサポートする立体動画復号化装置。
【請求項１７】
前記逆多重化手段は、
前記ユーザーディスプレイ情報が３次元フィールドシャッタリングディスプレイである場合には、前記ビットストリームを前記左映像奇数フィールドＬＯ及び前記右映像偶数フィールドＲＥに逆多重化することを特徴とする請求項１５に記載の多重ディスプレイ方式をサポートする立体動画復号化装置。
【請求項１８】
前記逆多重化手段は、
前記ユーザーディスプレイ情報が３次元フレームシャッタリングディスプレイである場合には、前記ビットストリームを前記左映像奇数フィールドＬＯ、前記左映像偶数フィールドＬＥ、前記右映像奇数フィールドＲＯ及び前記右映像偶数フィールドＲＥに逆多重化することを特徴とする請求項１５に記載の多重ディスプレイ方式をサポートする立体動画復号化装置。
【請求項１９】
前記逆多重化手段は、
前記ユーザーディスプレイ情報が２次元ディスプレイである場合には、前記ビットストリームを前記左映像奇数フィールドＬＯ及び前記左映像偶数フィールドＬＥに逆多重化することを特徴とする請求項１５に記載の多重ディスプレイ方式をサポートする立体動画復号化装置。
【請求項２０】
前記ディスプレイ手段は、
前記ユーザーディスプレイ情報が３次元フィールドシャッタリングディスプレイである場合には、前記左映像奇数フィールドＬＯを復号化した映像と前記右映像偶数フィールドＲＥを復号化した映像とを一定時間の間隔をおいて各々表示することを特徴とする請求項１５に記載の多重ディスプレイ方式をサポートする立体動画復号化装置。
【請求項２１】
前記ディスプレイ手段は、
前記ユーザーディスプレイ情報が３次元フレームシャッタリングディスプレイである場合には、前記左映像奇数フィールドＬＯを復号化した映像と、前記左映像偶数フィールドＬＥを復号化した映像と、前記右映像奇数フィールドＲＯを復号化した映像と、前記右映像偶数フィールドＲＥを復号化した映像とを、一定時間の間隔をおいて各々表示することを特徴とする請求項１５に記載の多重ディスプレイ方式をサポートする立体動画復号化装置。
【請求項２２】
前記ディスプレイ手段は、
前記ユーザーディスプレイ情報が２次元ディスプレイである場合には、前記左映像奇数フィールドＬＯを復号化した映像と、前記左映像偶数フィールドＬＥを復号化した映像とを同時に各々表示することを特徴とする請求項１５に記載の多重ディスプレイ方式をサポートする立体動画復号化装置。
【請求項２３】
ユーザーディスプレイ情報に基づき多重ディスプレイ方式をサポートする立体動画符号化方法において、
入力される左右両眼の映像を左映像奇数フィールドＬＯ、左映像偶数フィールドＬＥ、右映像奇数フィールドＲＯ及び右映像偶数フィールドＲＥに分離する第ａ段階と、
前記第ａ段階において分離されたフィールドを動き及び時差補償のための推定を利用して符号化する第ｂ段階と、
前記ユーザーディスプレイ情報に基づき、前記第ｂ段階において符号化されたフィールドのうち必要なフィールドを多重化する第ｃ段階と、
を備えていることを特徴とする多重ディスプレイ方式をサポートする立体動画符号化方法。
【請求項２４】
ユーザーディスプレイ情報に基づき多重ディスプレイ方式をサポートする立体動画復号化方法において、
供給されるビットストリームを前記ユーザーディスプレイ情報に適合するように逆多重化する第ａ段階と、
前記第ａ段階において逆多重化されたフィールドを動き及び時差補償のための推定を利用して復号化する第ｂ段階と、
前記第ｂ段階において復号化された映像を前記ユーザーディスプレイ情報に基づき表示する第ｃ段階と、
を備えていることを特徴とする多重ディスプレイ方式をサポートする立体動画復号化方法。
【請求項２５】
入力される左右両眼の映像を左映像奇数フィールドＬＯ、左映像偶数フィールドＬＥ、右映像奇数フィールドＲＯ及び右映像偶数フィールドＲＥに分離する第ａ段階と、
前記第ａ段階において分離されたフィールドを動き及び時差補償のための推定を利用して符号化する第ｂ段階と、
前記ユーザーディスプレイ情報に基づき、前記第ｂ段階において符号化されたフィールドのうち必要なフィールドを多重化する第ｃ段階と、
を備えている、ユーザーディスプレイ情報に基づき多重ディスプレイ方式をサポートする立体動画符号化方法を実現させるためのプログラムを記録したことを特徴とするコンピュータ読み出し可能な記録媒体。
【請求項２６】
供給されるビットストリームを前記ユーザーディスプレイ情報に適合するように逆多重化する第ａ段階と、
前記第ａ段階において逆多重化されたフィールドを動き及び時差補償のための推定を利用して復号化する第ｂ段階と、
前記第ｂ段階において復号化された映像を前記ユーザーディスプレイ情報に基づき表示する第ｃ段階と、
を備えている、ユーザーディスプレイ情報に基づき多重ディスプレイ方式をサポートする立体動画符号化方法を実現させるためのプログラムを記録したことを特徴とするコンピュータ読み出し可能な記録媒体。
【発明の詳細な説明】
【技術分野】
【０００１】
本発明は、多重ディスプレイ方式をサポートする立体動画符号化装置及び復号化装置並びにその方法、並びに、当該方法を実現させるためのプログラムを記録したコンピュータ読み出し可能な記録媒体に係り、特に、ユーザーがディスプレイ方式を選択できる環境において効率的に動画データを伝送するため、動画ディスプレイ方式に従って必要な符号化ビットストリームのみで復号化できるようにする、多重ディスプレイ方式をサポートする立体動画符号化装置及び復号化装置並びにその方法、並びに、当該方法を実現させるためのプログラムを記録したコンピュータ読み出し可能な記録媒体に関する。
【背景技術】
【０００２】
一般に、２次元動画は、同一時間軸上において単眼の映像のみが存在するが、３次元映像は、２眼以上の映像が存在する。
【０００３】
従来の立体３次元動画の符号化方式には、ＭＰＥＧ−２  ＭＶＰ（Moving Picture Experts Group-2 Multiview Profile）方式がある。この方式の基底層は、左右映像のうち他方側映像を利用せずに符号化する構造であって、ＭＰＥＧ−２  ＭＰ（Main Profile）の基底層構造と同じであるため、従来の２次元動画の復号化器により復号化することができ、従来の２次元動画ディスプレイ方式に適用することができる。即ち、従来の２次元動画システムと互換性を有する。
【０００４】
ＭＰＥＧ−２  ＭＶＰ方式の上位層映像の符号化は、左右映像間に存在する相関情報を利用する。従って、ＭＰＥＧ−２  ＭＶＰ方式は、時間伸縮性(Temporal Scalability）を利用した符号化器を基本とする。
【０００５】
また、基底層と上位層とにおいて各々左右映像に該当するフレーム単位の２チャネルビットストリームを出力し、現在の立体３次元動画符号化関連の従来の技術は、このような２階層  ＭＰＥＧ−２  ＭＶＰ符号化器を基本としている。
【０００６】
これと関連する従来の技術として「二つの時差推定を用いたディジタル３次元立体動画圧縮技術（Digital 3D/Stereoscopic video compression technique Utilizing two disparity estimates）」が米国(ＵＳ）特許第５，６１２，７３５号に開示されている。
【０００７】
上記特許第５，６１２，７３５号は、時間伸縮性を利用して基底層では、動き補償及びＤＣＴ基盤アルゴリズムを利用して左映像を符号化し、上位層では、右映像間の動き補償無しに基底層と上位層との間の時差情報のみを利用して右映像を符号化する方法である。
【０００８】
図１Ａは、従来の時差補償を利用した符号化方法を示す構成図であって、上記特許第５，６１２，７３５号において提示された方法である。
【０００９】
図面に示すＩ，Ｐ，Ｂは、ＭＰＥＧ規格で規定している三画面の形態を意味する。基底層にのみあるＩ（Intra-coded）画面は、動き補償を利用せずに単純にその画面だけで符号化され、Ｐ（Predicted coded）画面では、Ｉ画面又は他のＰ画面を利用して動き補償が行われる。Ｂ（Bi-directional Predicted coded）画面では、時間軸上で前後に存在する２画面から動き補償を行う。
【００１０】
基底層の符号化順序は、ＭＰＥＧ−２  ＭＰ方式と同じである。上位層では、Ｂ−画面だけがあり、このＢ−画面は、基底層にある画面の中で同じ時間上に存在するフレームと次（裏面）に存在する画面から時差補償を利用して符号化する。
【００１１】
これと関連するもう一つの従来技術として、「時差及び動き補償予測を用いたディジタル３次元立体動画圧縮技術（Digital 3D/Stereoscopic video compression technique utilizing disparity and motion compensated predictions）」が米国（ＵＳ）特許第５，６１９，２５６号に提示されている。
【００１２】
上記特許第５，６１９，２５６号は、上記特許第５，６１２，７３５号と同様に、時間伸縮性を利用して、基底層では、動き補償及びＤＣＴ基盤アルゴリズムを利用して左映像を符号化し、上位層では、左右映像間の動き補償、及び、基底層と上位層との間の時差情報を利用する。
【００１３】
図１Ｂは、従来の時差補償を利用した符号化方法を示す構成図であって、上記特許第５，６１９，２５６号において提示された方法である。
【００１４】
図面に示すように、基底層は、上記図１での基底層推定方式と同一になされ、上位層のＰ画面は、基底層のＩ画面から推定して時差補償を行う。また、上位層のＢ画面は、同じ上位層での以前画面と基底層での同一時間軸上の画面から推定して動き及び時差補償を行う。
【００１５】
上記特許第５，６１２，７３５号及び上記特許第５，６１９，２５６号に提示された方法は、受信側において２次元動画ディスプレイ方式を使用するときには、基底層から出力されるビットストリームのみを伝送し、３次元フレームシャッタリングディスプレイ方式を使用するときには、基底層及び上位層から出力されるあらゆるビットストリームを伝送して、受信側において映像を復元する。
【００１６】
しかし、受信側において要求するディスプレイ方式が現在パーソナルコンピュータで通常利用されている３次元動画フィールドシャッタリングディスプレイの場合、不必要な左側映像の偶数フィールド及び右側映像の奇数フィールドの情報も共に伝送しなければ受信側において必要な映像を復元することができないという問題点がある。結局、受信されたあらゆるビットストリームに対して復号化した後、左側映像の偶数フィールド及び右側映像の奇数フィールドのデータは捨てられることになるので伝送効率が低下し、復号化器での映像復元量及び復号化時間遅延が増加するという深刻な問題が発生する。
【００１７】
一方、左右両眼の動画を符号化するため、左右各々の映像を１／２に縮小して左右２チャネルの映像を１チャネル映像に変換して符号化する五つの方式が、『立体ディスプレイ及びアプリケーションＶＩＩ、ＳＰＩＥ  vol.２６５３Ａ会報、カリフォルニア、１９９６年２月（Stereoscopic Displays and Applications VII, California, Feb.1996, Proceedings of the SPIE vol.2653A）におけるアンドリュー・ウッズ（Andrew Woods）、トム・ドチャーティ（Tom Docherty）、ロルフ・コック（Rolf koch）の「３次元映像標準変換（3D Video Standards Conversion）」』の論文で提案された。また、上記論文で提示された符号化方式と関連した従来の技術として、「立体符号化システム（Stereoscopic coding system）」が米国特許第５，６３３，６８２号に開示されている。
【００１８】
上記特許第５，６３３，６８２号は、左映像は奇数フィールドだけを、右映像は偶数フィールドだけを選択して１チャネル映像に転換する上記論文で提示された第１の映像変換方式を利用して、従来の２次元動画に対するＭＰＥＧ符号化を行う方法を提示する。
【００１９】
上記特許第５，６３３，６８２号に提示された方式は、従来の２次元動画に対するＭＰＥＧ符号化をそのまま利用するという長所があり、符号化過程においてフィールド推定が行われるときは、自然に動き情報及び時差情報を利用することになる。しかし、フレーム推定が行われる場合は、動き情報だけが利用されて時差情報は考慮されず、また、フィールド推定におけるＢ画面の場合、Ｂ画面と最も高い相関を有する映像が同一時間に存在する映像であるにも拘わらず、同一時間にある他方側映像との時差ではなく、Ｂ画面の前後時間に存在して相関度が低下するＩ画面又はＰ画面での推定による時差補償が行われる問題点がある。
【００２０】
また、上記特許第５，６３３，６８２号に提示された方式は、３次元動画ディスプレイにおいて左右映像がフィールド単位で交差して表示されるフィールドシャッタリング方式を考慮した方式であって、左右映像が同時に表示されるフレームシャッタリング方式のディスプレイには不適当であるという問題点がある。
【発明の開示】
【発明が解決しようとする課題】
【００２１】
本発明は、上述した問題点に鑑みてなされたものであって、その目的とするところは、左右映像に対して各々フィールド単位でビットストリームを出力することによって、ディスプレイに必要なフィールドだけを伝送して、不必要なデータ伝送によるチャネル占有及び復号化時間遅延を最小化できるようにする多重ディスプレイ方式をサポートする立体動画符号化装置を提供することである。
【００２２】
また、本発明は、左右映像に対して各々フィールド単位でビットストリームを出力することによって、ディスプレイに必要なフィールドだけ伝送して、不必要なデータ伝送によるチャネル占有及び復号化時間遅延を最小化できるようにする多重ディスプレイ方式をサポートする立体動画符号化方法を提供する。
【００２３】
また、本発明は、左右映像に対して各々フィールド単位でビットストリームを出力することによって、ディスプレイに必要なフィールドだけ伝送して不必要なデータ伝送によるチャネル占有及び復号化時間遅延を最小化できるようにする機能を実現させるためのプログラムを記録したコンピュータ読み出し可能な記録媒体を提供する。
【００２４】
また、本発明は、左右映像に対して各々フィールド単位でビットストリームを出力することによって、一部階層に対して入力ビットストリームがある場合にも要求したディスプレイ方式によって映像を復元できるようにする多重ディスプレイ方式をサポートする立体動画復号化装置を提供する。
【００２５】
また、本発明は、左右映像に対して各々フィールド単位でビットストリームを出力することによって、一部階層に対して入力ビットストリームがある場合にも要求したディスプレイ方式によって映像を復元できるようにする多重ディスプレイ方式をサポートする立体動画復号化方法を提供する。
【００２６】
また、本発明は、左右映像に対して各々フィールド単位でビットストリームを出力することによって、一部階層で対し入力ビットストリームがある場合にも要求したディスプレイ方式によって映像を復元できるようにする機能を実現させるためのプログラムを記録したコンピュータ読み出し可能な記録媒体を提供する。
【課題を解決するための手段】
【００２７】
上記目的を達成するため、本発明は、ユーザーディスプレイ情報に基づき多重ディスプレイ方式をサポートする立体動画符号化装置において、入力される左右両眼の映像を左映像奇数フィールドＬＯ、左映像偶数フィールドＬＥ、右映像奇数フィールドＲＯ及び右映像偶数フィールドＲＥに分離するフィールド分離手段と、上記フィールド分離手段から分離されたフィールドを動き及び時差補償のための推定を利用して符号化する符号化手段と、上記ユーザーディスプレイ情報に基づき、上記符号化手段から受信したフィールドのうち必要なフィールドを多重化する多重化手段と、を備えていることを特徴とする。
【００２８】
また、ユーザーディスプレイ情報に基づき多重ディスプレイ方式をサポートする立体動画復号化装置において、供給されるビットストリームを上記ユーザーディスプレイ情報に適合するように逆多重化する逆多重化手段と、上記逆多重化手段から逆多重化されたフィールドを動き及び時差補償のための推定を利用して復号化する復号化手段と、上記復号化器から復号化された映像を上記ユーザーディスプレイ情報に基づき表示するディスプレイ手段と、を備えていることを特徴とする。
【００２９】
また、本発明は、ユーザーディスプレイ情報に基づき多重ディスプレイ方式をサポートする立体動画符号化方法において、入力される左右両眼の映像を左映像奇数フィールドＬＯ、左映像偶数フィールドＬＥ、右映像奇数フィールドＲＯ及び右映像偶数フィールドＲＥに分離する第ａ段階と、上記第ａ段階で分離されたフィールドを動き及び時差補償のための推定を利用して符号化する第ｂ段階と、上記ユーザーディスプレイ情報に基づき、上記第ｂ段階で符号化されたフィールドのうち必要なフィールドを多重化する第ｃ段階と、を備えていることを特徴とする。
【００３０】
また、ユーザーディスプレイ情報に基づき多重ディスプレイ方式をサポートする立体動画復号化方法において、供給されるビットストリームを上記ユーザーディスプレイ情報に適合するように逆多重化する第ａ段階と、上記第ａ段階で逆多重化されたフィールドを動き及び時差補償のための推定を利用して復号化する第ｂ段階と、上記第ｂ段階で復号化された映像を上記ユーザーディスプレイ情報に基づき表示する第ｃ段階と、を備えていることを特徴とする。
【００３１】
また、本発明は、ユーザーディスプレイ情報に基づき多重ディスプレイ方式をサポートする立体動画符号化方法を提供するため、コンピュータ読み出し可能な記録媒体において、マイクロプロセッサを備えている符号化装置に入力される左右両眼の映像を左映像奇数フィールドＬＯ、左映像偶数フィールドＬＥ、右映像奇数フィールドＲＯ及び右映像偶数フィールドＲＥに分離する第ａ段階と、上記第ａ段階で分離されたフィールドを動き及び時差補償のための推定を利用して符号化する第ｂ段階と、上記ユーザーディスプレイ情報に基づき、上記第ｂ段階で符号化されたフィールドのうち必要なフィールドを多重化する第ｃ段階と、を備えている、ユーザーディスプレイ情報に基づき多重ディスプレイ方式をサポートする立体動画符号化方法を実現させるためのプログラムを記録したことを特徴とする。
【００３２】
また、本発明は、ユーザーディスプレイ情報に基づき多重ディスプレイ方式をサポートする立体動画符号化方法を提供するため、コンピュータ読み出し可能な記録媒体において、マイクロプロセッサを備えている符号化装置に供給されるビットストリームを上記ユーザーディスプレイ情報に適合するように逆多重化する第ａ段階と、上記第ａ段階で逆多重化されたフィールドを動き及び時差補償のための推定を利用して復号化する第ｂ段階と、上記第ｂ段階で復号化された映像を上記ユーザーディスプレイ情報に基づき表示する第ｃ段階と、を備えている、ユーザーディスプレイ情報に基づき多重ディスプレイ方式をサポートする立体動画符号化方法を実現させるためのプログラムを記録したことを特徴とする。
【００３３】
本発明は、動き及び時差補償を利用する立体動画符号化及び復号化に関するものである。本発明に係る符号化装置は、動き及び時差情報を利用して左右映像の奇数及び偶数に該当するフィールドを４個の符号化階層に同時に入力して符号化した後、ユーザーが選択したディスプレイ方式に従って４チャネルのフィールド別に符号化されたビットストリームのうち必要なチャネルだけを多重化して伝送し、本発明に係る復号化装置は、受信した信号を逆多重化した後、４階層の中で一部階層のみに入力ビットストリームがある場合にも要求したディスプレイ方式によって映像を復元することができる。
【００３４】
基底層と上位層とから出力される２個の符号化ビットストリームを総て利用して復号化するＭＰＥＧ−２  ＭＶＰに基づく立体３次元動画符号化器は、３次元動画フィールドシャッタリング及び２次元動画ディスプレイ方式を使用する場合、伝送されたデータの半分は捨てられるにも拘わらず、総てのデータを伝送しなければ復号化が不可能である。従って、伝送効率が低下し、復号化時間が長くなる。
【００３５】
反面、本発明に係る符号化装置は、ディスプレイに必要なフィールドだけを伝送して本発明に係る復号化装置が復号できるようにすることによって、不必要なデータ伝送によるチャネル占有及び復号化時間遅延を最小化する。
【００３６】
本発明に係る符号化装置及び復号化装置は、左右映像の奇数及び偶数フィールドを入力して全４個の符号化階層から構成される多重階層符号化（multi-layer encoding）技法を使用する。
【００３７】
４個の階層は、フィールドの推定関係構成によって主階層（Main layer）と補助階層（sub layer）とから構成し、本発明に係る復号化装置では、主階層に該当するフィールドに対する符号化ビットストリームのみで映像復号化が可能である。補助階層に該当するフィールドの符号化ビットストリームは、単独での復号化が不可能であり、主階層及び補助階層のビットストリームに依存して復号化する。
【００３８】
主階層及び補助階層は、符号化及び復号化装置において基本的に設定しようとするディスプレイ方式によって二つの構造を有することができる。
【００３９】
第１の構造は、動画フィールドシャッタリングディスプレイ方式を基本として符号化及び復号化を行う方式である。これは、左映像の奇数フィールドＬＯ及び右映像の偶数フィールドＲＥを主階層で符号化し、残余の左映像の偶数フィールドＬＥを第１補助階層で、右映像の奇数フィールドＲＯを第２補助階層で符号化する構造である。
【００４０】
各階層で符号化されて並列に出力される４チャネルのビットストリームは、フィールドシャッタリングディスプレイ方式の場合、主階層から出力される２チャネルのビットストリームのみを多重化して伝送し、ユーザーが３次元動画フレームシャッタリングディスプレイ方式に転換する場合、第１補助階層及び第２補助階層から出力されるビットストリームを追加的に多重化して伝送する。
【００４１】
第２の構造は、フィールド及びフレームディスプレイ方式は勿論、２次元動画ディスプレイ方式まで效率よくサポートする。左映像の奇数フィールドＬＥのみを主階層として独立的に符号化及び復号化を行い、残余の右映像の偶数フィールドを第１補助階層、左映像の偶数フィールドＬＥを第２補助階層、右映像の奇数フィールドＲＯを第３補助階層とし、これら補助階層は、主階層及び他の補助階層の情報を利用する。
【００４２】
ディスプレイ方式に関係なく、主階層で符号化された左映像の奇数フィールドビットストリームは基本的に伝送され、ユーザーが３次元フィールドシャッタリングディスプレイ方式を使用する場合には、主階層と第１補助階層とから出力されるビットストリームを多重化して伝送し、３次元フレームシャッタリングディスプレイ方式を使用する場合には、主階層と３個の総ての補助階層とから出力されるビットストリームを多重化して伝送する。また、２次元動画ディスプレイ方式の場合には、主階層と第２補助階層とから出力されるビットストリームを伝送して左映像のみ表示する。
【００４３】
これは、補助階層の符号化及び復号化時に存在するフィールド情報を総て利用できない反面、３次元ディスプレイ装置を保有しないユーザーに３次元動画を２次元動画に転換して伝送する場合に有用な方法である。
【００４４】
従って、本発明に係る符号化装置及び復号化装置は、符号化されたビットストリームの伝送時に、２次元動画ディスプレイ及び３次元動画フィールド／フレームシャッタリングディスプレイの三つの動画ディスプレイ方式によって必要なビットストリームのみを伝送して復号化装置における復号化を可能にすることによって、伝送効率を向上させ、復号化過程を単純化して全体的な表示遅延を低減させることができる。
【発明の効果】
【００４５】
上述したような本発明は、立体動画を左右の奇数及び偶数に該当する４個のフィールド別ストリームに分離して、動き及び時差補償を利用する多重階層構造に符号化及び復号化することによって、符号化されたビットストリームを伝送するときには、３次元動画フィールド／フレームシャッタリングディスプレイ及び２次元動画ディスプレイの三つの動画ディスプレイ方式によって必要なビットストリームのみを伝送し、受信側において入力されたフィールド別ビットストリームのみを復号化をできるようにする効果がある。
【００４６】
また、本発明は、ディスプレイ方式によって必要なビットストリームのみを伝送することによって、伝送効率を向上させ、復号化過程を簡略化し、ユーザーのディスプレイ方式の変換要求に伴うディスプレイ時間遅延を最小化できるようにする効果がある。
【００４７】
上述した目的、特徴及び長所は、添付した図面と関連した以下の詳細な説明を通じてさらに明確となる。
【発明を実施するための最良の形態】
【００４８】
以下、添付した図面を参照して、本発明の好ましい実施の一形態について詳細に説明する。
【００４９】
図２は、本発明に係る多重ディスプレイ方式をサポートする立体動画符号化装置の実施の一形態の構造図である。
【００５０】
図面に示すように、本発明に係る符号化装置は、フィールド分離器２１０、符号化器２２０及び多重化器２３０を備えている。
【００５１】
上記フィールド分離器２１０は、左右両眼の２チャネル映像を各々奇数フィールドと偶数フィールドとに分離して４チャネルの入力映像に転換する機能を担う。
【００５２】
図３は、上記フィールド分離器が各々の映像を左右映像の奇数／偶数フィールドに分離することを示す例示図である。
【００５３】
図面に示すように、本発明に係る上記フィールド分離器２１０は、左右各々１フレームに該当する映像の奇数ラインと偶数ラインとを分離してフィールド映像に変換する。
【００５４】
図面に示すＨは映像の横の長さであり、Ｖは映像の縦の長さである。
【００５５】
上記フィールド分離器２１０は、映像入力をフィールド単位の４個の階層に分離構成することによって、フレーム単位の映像を入力として使用して自由な多重階層符号化構成が可能であり、ディスプレイ方式によって必要なビットストリームのみを伝送するための動き及び時差推定構造を構成することができる。
【００５６】
上記符号化器２２０は、動き及び時差補償のための推定を利用して上記フィールド分離器２１０から受信した映像を符号化する機能を担う。
【００５７】
上記符号化器２２０は、上記フィールド分離器２１０から分離された４チャネルの奇数及び偶数フィールド映像を受け取る主階層と補助階層とから構成して、符号化を実行する。
【００５８】
上記符号化器２２０は、左右映像の奇数及び偶数フィールド別映像を４個の符号化階層において同時に受け取る多重階層符号化技法を使用する。４個の階層は、フィールドの推定関係構成によって主階層と補助階層とから構成され、主階層と補助階層とは、符号化側及び復号化側から基本的にサポートしようとするディスプレイ方式によって二つの構造を有する。
【００５９】
図４Ａは、上記図２の符号化器の３次元動画ディスプレイをサポートする符号化を示す実施の一形態の図面であって、フィールドシャッタリングディスプレイ方式及びフレームシャッタリングディスプレイ方式をサポートする符号化を示す。
【００６０】
図面に示すように、本発明の動き及び時差補償のための推定を利用したフィールドに基づく立体動画符号化器は、フィールドシャッタリングディスプレイ方式に必要なフィールドである左映像の奇数フィールドＬＯと右映像の偶数フィールドＲＥとを主階層として構成し、残余の左映像の偶数フィールドＬＥを第１補助階層、右映像の奇数フィールドＲＯを第２補助階層として構成する。
【００６１】
上記左映像の奇数フィールドＬＯと右映像の偶数フィールドＲＥとから構成される上記主階層は、基底層と上位層とから構成される従来のＭＰＥＧ−２  ＭＶＰの構造と同様に左映像の奇数フィールドＬＯを基底層として使用し、右映像の偶数フィールドＲＥを上位層として使用して動き及び時差補償のための推定による符号化を行う。
【００６２】
上記第１補助階層は、上記基底層又は上記上位層との相関情報を利用し、上記第２補助階層は、上記主階層との相関情報のみならず上記第１補助階層との相関情報も利用する。
【００６３】
図４Ａにおいて、ディスプレイ時間ｔ１に存在する上記基底層に対するフィールド１はＩフィールドに符号化し、上記上位層に対するフィールド２は、上記基底層の同一時間軸上にあるフィールド１を基準とする時差推定によりＰフィールドに符号化する。
【００６４】
上記第１補助階層のフィールド３は、上記基底層のフィールド１を基準とする動き推定及び上記上位層のフィールド３を基準とする時差推定を利用する。上記第２補助階層のフィールド４は、上記基底層のフィールド１を基準とする時差推定及び上記上位層のフィールド２を基準とする動き推定を利用する。
【００６５】
それから、各階層においてディスプレイ時間ｔ４に存在するフィールド等の符号化を行う。即ち、上記基底層に対するフィールド１３は、フィールド１を基準とする動き推定によってＰフィールドに符号化し、上記上位層に対するフィールド１４は、上記基底層の同一時間軸上にあるフィールド１３を基準とする時差推定及びフィールド２を基準とする動き推定によってＢフィールドに符号化する。
【００６６】
上記第１補助階層のフィールド１５は、上記基底層のフィールド１３を基準とする動き推定及び上記上位層のフィールド１４を基準とする時差推定を利用し、上記第２補助階層のフィールド１６は、上記基底層のフィールド１３を基準とする時差推定及び上記上位層のフィールド１４を基準とする動き推定を利用する。
【００６７】
また、ディスプレイ時間ｔ２，ｔ３の順に各階層に存在するフィールド等の符号化を行う。即ち、上記基底層に対するフィールド５は、フィールド１及びフィールド１３を基準とする動き推定によってＢフィールドに符号化し、上記上位層に対するフィールド６は、上記基底層の同一時間軸上にあるフィールド５を基準とする時差推定及び同一階層のフィールド２を基準とする動き推定によってＢフィールドに符号化する。
【００６８】
上記第１補助階層のフィールド７は、同一階層のフィールド３を基準とする動き推定及び上記上位層のフィールド６を基準とする時差推定によって符号化する。上記第２補助階層のフィールド８は、同一階層のフィールド４を基準とする動き推定及び上記第１補助階層のフィールド７を基準とする時差推定を利用する。
【００６９】
また、上記基底層に対するフィールド９は、フィールド１及びフィールド１３を基準とする動き推定によってＢフィールドに符号化し、上記上位層に対するフィールド１０は、上記基底層の同一時間軸上にあるフィールド９を基準とする時差推定及び同一階層のフィールド２を基準とする動き推定によってＢフィールドに符号化する。
【００７０】
上記第１補助階層のフィールド１１は、同一階層のフィールド７を基準とする動き推定及び上記上位層のフィールド１０を基準とする時差推定を利用し、上記第２補助階層のフィールド１２は、同一階層のフィールド８を基準とする動き推定及び上記第１補助階層のフィールド１１を基準とする時差推定を利用する。
【００７１】
従って、上記主階層の基底層及び上位層では、各々ＩＢＢＰ．．．及びＰＢＢＢ．．．の形態に符号化され、上記第１及び２補助階層は、総てＢフィールドの形態に符号化される。
【００７２】
上記符号化器２２０の推定は、総ての時間において上記第１及び２補助階層の総てが同一時間軸の上記主階層の基底層及び上位層のフィールドから動き及び時差推定を行ってＢフィールドに符号化することによって、推定信頼度が高く、符号化エラーの累積を防止することができる。
【００７３】
図４Ｂは、上記図２の符号化器の２次元及び３次元動画ディスプレイをサポートする符号化を示す実施の一形態の図面であって、フィールド及びフレームシャッタリングディスプレイ方式は勿論、２次元動画ディスプレイ方式もサポートする。
【００７４】
図面に示すように、本発明に係る符号化器は、左映像の奇数フィールドＬＯのみを主階層として独立的に構成し、残余の右映像の偶数フィールドＲＥを第１補助階層、左映像の偶数フィールドＬＥを第２補助階層、右映像の奇数フィールドＲＯを第３補助階層とし、これら補助階層は、主階層及び相互間の相互情報を利用して符号化及び復号化が行われるように構成する。
【００７５】
即ち、フィールドシャッタリングディスプレイ方式を要求する場合には、主階層と第２補助階層とにおいて符号化されたビットストリームのみで、フレームシャッタリングディスプレイ方式を要求する場合は、全体階層でのビットストリームで、２次元動画のディスプレイ方式を要求する場合は、主階層と第１補助階層とにおいて符号化されたビットストリームで符号化が可能となるようにする。
【００７６】
従って、上記主階層の各フィールドは、主階層内においてフィールド間の動き情報のみを利用し、上記第１補助階層は、同一階層フィールド間の動き情報、及び、主階層のフィールドとの時差情報を利用する。上記第２補助階層は、同一階層及び主階層のフィールドとの動き情報のみを利用し、第１補助階層のフィールドとの時差情報を利用しないようにして、上記第１及び第２補助階層は、各々上記主階層のみに依存するように構成される。最後に、上記第３補助階層は、総ての階層のフィールドとの動き及び時差情報を利用して総ての階層に依存するように構成する。
【００７７】
図４Ｂの符号化は、上記図４Ａに示すように、時間軸を基準として階層的に行われる。
【００７８】
先ず、ディスプレイ時間ｔ１に存在する上記主階層のフィールド１はＩフィールドに符号化し、上記第１補助階層のフィールド２は、上記主階層の同一時間軸上にあるフィールド１を基準とする時差推定によってＰフィールドに符号化する。上記第２補助階層のフィールド３は、上記主階層のフィールド１を基準とする動き推定によってＰフィールドに符号化し、上記第３補助階層のフィールド４は、上記主階層のフィールド１を基準とする時差推定及び上記第１補助階層のフィールド２を基準とする動き推定を利用する。
【００７９】
次は、各階層においてディスプレイ時間ｔ４に存在する各フィールドの符号化を行う。即ち、上記主階層のフィールド１３は、フィールド１を基準とする動き推定によってＰフィールドに符号化し、上記第１補助階層のフィールド１４は、上記主階層の同一時間軸上にあるフィールド１３を基準とする時差推定及び同一階層のフィールド２を基準とする動き推定によってＢフィールドに符号化する。
【００８０】
上記第２補助階層のフィールド１５は、上記主階層のフィールド１３及び同一階層のフィールド３を基準とする動き推定によってＢフィールドに符号化し、上記第３補助階層のフィールド１６は、上記主階層のフィールド１３を基準とする時差推定及び上記第１補助階層のフィールド１４を基準とする動き推定によってＢフィールドに符号化する。
【００８１】
また、ディスプレイ時間ｔ２，ｔ３の順に各階層に存在する各フィールドの符号化を行う。即ち、上記主階層のフィールド５は、同一階層のフィールド１及びフィールド１３を基準とする動き推定によってＢフィールドに符号化し、上記第１補助階層のフィールド６は、上記主階層の同一時間軸上にあるフィールド５を基準とする時差推定及び同一階層のフィールド２を基準とする動き推定によってＢフィールドに符号化する。
【００８２】
上記第２補助階層のフィールド７は、上記主階層のフィールド１及び同一階層のフィールド３を基準とする動き推定によってＢフィールドに符号化し、上記第３補助階層のフィールド８は、同一階層のフィールド４を基準とする動き推定及び上記第２補助階層のフィールド７を基準とする時差推定を利用して符号化する。
【００８３】
また、上記主階層のフィールド９は、フィールド１及びフィールド１３を基準とする動き推定によってＢフィールドに符号化し、上記第１補助階層のフィールド１０は、上記主階層の同一時間軸上にあるフィールド９を基準とする時差推定及び同一階層のフィールド１４を基準とする動き推定によってＢフィールドに符号化する。
【００８４】
また、上記第２補助階層のフィールド１１は、同一階層のフィールド３及び上記主階層のフィールド１３を基準とする動き推定によってＢフィールドに符号化し、上記第３補助階層のフィールド１２は、同一階層のフィールド８を基準とする動き推定及び上記第２補助階層のフィールド１１を基準とする時差推定を利用して符号化する。
【００８５】
従って、上記主階層ではＩＢＢＰ．．．形態に符号化され、第１，第２及び第３補助階層では各々ＰＢＢＢ．．．，ＰＢＢＢ．．．及びＢＢＢＢ．．．の形態に符号化される。
【００８６】
上記符号化器２２０は、時間ｔ４において第１，第２及び第３補助階層にあるフィールドが同一時間軸上の主階層及び第１補助階層のフィールドから動き及び時差推定をしてＢフィールドに符号化することによって、符号化エラーの累積を防止することができ、左映像フィールド階層を右映像フィールド階層から完全に分離して復号化できるので、左映像だけを利用した２次元ディスプレイ方式を效率的にサポートする。
【００８７】
上記多重化器２３０は、上記符号化器２２０から４個のフィールド別ビットストリームに該当する左映像奇数フィールドＬＯ、右映像偶数フィールドＲＥ、左映像奇数フィールドＬＥ及び右映像奇数フィールドＲＯを受信し、受信端（図示せず）からユーザーディスプレイ方式に対する情報を受け取って必要なフィールド別ビットストリームのみ多重化する機能を担う。
【００８８】
即ち、上記多重化器２３０は、三つのディスプレイ方式に適合するように多重化を行う。モード１（３次元フィールドシャッタリングディスプレイ）の場合は、左右半分の情報に該当するＬＯ、ＲＥを多重化し、モード２（３次元動画フレームシャッタリングディスプレイ）の場合は、左右フレーム内の総ての情報を利用するので、ＬＯ、ＬＥ、ＲＯ、ＲＥの４個フィールドに該当する符号化ビットストリームを多重化する。また、モード３（２次元ディスプレイ）の場合は、左右両眼の時点のうち、左映像を表現するためのＬＯ、ＬＥのフィールドを多重化する。
【００８９】
図５は、本発明に係る多重ディスプレイ方式をサポートする立体動画復号化装置の実施の一形態の構造図である。
【００９０】
図面に示すように、本発明に係る復号化装置は、逆多重化器５１０、復号化器５２０及びディスプレイ機５３０を備えている。
【００９１】
上記逆多重化器５１０は、伝送されたビットストリームをユーザーディスプレイ方式に適合するように逆多重化して多数チャネルのビットストリームに出力する機能を担う。従って、モード１及びモード３の場合には、２チャネルの符号化されたフィールド別ビットストリームを出力し、モード２の場合は、４チャネルの符号化されたフィールド別ビットストリームを出力する。
【００９２】
上記復号化器５２０は、動き及び時差補償のための推定を利用して上記逆多重化器５１０から２チャネル又は４チャネルに入力されるフィールド別ビットストリームを復号化する機能を担う。
【００９３】
上記復号化器５２０は、上記符号化器２２０と同じ階層構造を有し、上記符号化器２２０の逆機能を行う。
【００９４】
上記ディスプレイ機５３０は、上記復号化器５２０において復元された映像を表示する機能を担う。本発明に係る復号化装置は、以下の図６Ａ乃至図６Ｃにおいて説明するように、ユーザーの要求によって２次元動画ディスプレイ及び３次元動画フィールド／フレームディスプレイを選択して復号化することができる。
【００９５】
図６Ａは、上記図５のディスプレイ機の３次元フィールドシャッタリングディスプレイ方式を示す一例示図である。
【００９６】
図面に示すように、本発明に係るディスプレイ機５３０は、上記復号化器５２０において左映像の奇数フィールドを復元した出力＿ＬＯと右映像の偶数フィールドを復元した出力＿ＲＥとを時間ｔ１／２と時間ｔ１とに順次表示する。
【００９７】
図６Ｂは、上記図５のディスプレイ機の３次元フレームシャッタリングディスプレイ方式を示す一例示図である。
【００９８】
図面に示すように、本発明に係るディスプレイ機５３０は、上記復号化器５２０において左映像の奇数及び偶数フィールドを復元した出力＿ＬＯ、出力＿ＬＥを時間ｔ１／２に、右映像の奇数及び偶数フィールドを復元した出力＿ＲＯ、出力＿ＲＥを時間ｔ１に順次表示する。
【００９９】
また、図６Ｃは、上記図５のディスプレイ機の２次元ディスプレイ方式を示す一例示図である。図面に示すように、本発明に係るディスプレイ機５３０は、上記復号化器５２０において左映像だけを復元した出力＿ＬＯ、出力＿ＬＥを時間ｔ１に表示する。
【０１００】
図７は、本発明に係る多重ディスプレイ方式をサポートする立体動画符号化方法を示す実施の一形態のフローチャートである。
【０１０１】
図面に示すように、本発明に係る復号化方法は、左右両眼の２チャネル映像を各々奇数フィールドと偶数フィールドとに分離して４チャネルの入力映像に転換する（Ｓ７１０）。
【０１０２】
以後、動き及び時差補償のための推定を利用して上記で転換された映像を符号化し（Ｓ７２０）、受信端からユーザーディスプレイ方式に対する情報を受け取り、上記で符号化された４個のフィールド別ビットストリームに該当する左映像奇数フィールドＬＯ、右映像偶数フィールドＲＥ、左映像奇数フィールドＬＥ及び右映像奇数フィールドＲＯをディスプレイ方式に適合するように多重化する（Ｓ７３０）。
【０１０３】
図８は、本発明に係る多重ディスプレイ方式をサポートする立体動画符号化方法を示す実施の一形態のフローチャートである。
【０１０４】
図面に示すように、本発明に係る符号化方法は、伝送されたビットストリームをユーザーディスプレイ方式に適合するように逆多重化して多数チャネルのビットストリームで出力する（Ｓ８１０）。従って、モード１（３次元フィールドシャッタリングディスプレイ）及びモード３（２次元ディスプレイ）の場合には、２チャネルの符号化されたフィールド別ビットストリームを出力し、モード２（３次元動画フレームシャッタリングディスプレイ）の場合は、４チャネルの符号化されたフィールド別ビットストリームを出力する。
【０１０５】
以後、動き及び時差補償のための推定を利用して上記で出力される２チャネル又は４チャネルのフィールド別ビットストリームを復号化し（Ｓ８２０）、上記で復元された映像を表示する（Ｓ８３０）。
【０１０６】
本発明に係る復号化方法は、ユーザーの要求によって２次元動画ディスプレイ及び３次元動画フィールド／フレームディスプレイを選択して復号化することができる。
【０１０７】
上述したうような本発明に係る方法は、プログラムにより具現化されるコンピュータ読み出し可能な記録媒体（ＣＤ−ＲＯＭ、ＲＡＭ、ＲＯＭ、フレキシブルディスク、ハードディスク、光磁気ディスク等）に格納されることが可能である。
【０１０８】
尚、本発明は、上記した本実施の形態に限られるものではなく、本発明の技術的思想から逸脱しない範囲内で多様に変更して実施することが可能である。
【図面の簡単な説明】
【０１０９】
【図１Ａ】従来の時差補償のための推定を利用した符号化方法を示す構成図である。
【図１Ｂ】従来の動き及び時差補償のための推定を利用した符号化方法を示す構成図である。
【図２】本発明に係る多重ディスプレイ方式をサポートする立体動画符号化装置の実施の一形態の構造図である。
【図３】図２のフィールド分離器が左右映像を分離することを示す一例示図である。
【図４Ａ】図２の符号化器の３次元動画ディスプレイをサポートする符号化を示す実施の一形態の図面である。
【図４Ｂ】図２の符号化器の２次元及び３次元動画ディスプレイをサポートする符号化を示す実施の一形態の図面である。
【図５】本発明に係る多重ディスプレイ方式をサポートする立体動画復号化装置の実施の一形態の構造図である。
【図６Ａ】図５のディスプレイ機の３次元フィールドシャッタリングディスプレイ方式を示す例示図である。
【図６Ｂ】図５のディスプレイ機の３次元フレームシャッタリングディスプレイ方式を示す例示図である。
【図６Ｃ】図５のディスプレイ機の２次元ディスプレイ方式を示す例示図である。
【図７】本発明に係る多重ディスプレイ方式をサポートする立体動画符号化方法を示す実施の一形態のフローチャートである。
【図８】本発明に係る多重ディスプレイ方式をサポートする立体動画復号化方法を示す実施の一形態のフローチャートである。
【図１Ａ】
2005513969.tif 000003
【図１Ｂ】
2005513969.tif 000004
【図２】
2005513969.tif 000005
【図３】
2005513969.tif 000006
【図４Ａ】
2005513969.tif 000007
【図４Ｂ】
2005513969.tif 000008
【図５】
2005513969.tif 000009
【図６Ａ】
2005513969.tif 000010
【図６Ｂ】
2005513969.tif 000011
【図６Ｃ】
2005513969.tif 000012
【図７】
2005513969.tif 000013
【図８】
2005513969.tif 000014
【国際調査報告】
2005513969.tif 000015
2005513969.tif 000016